(57)【要約】【課題】  薬液を安定的に吐出するようにする。【解決手段】  本発明の薬液ポンプ１は、薬液Ｂを吸入口３からポンプ室２内へ吸入するとともに、ポンプ室２内の薬液Ｂを吐出口５から吐出するように構成されている。そして、吐出口５は吸入口３よりも相対的に高い位置に配設されている。このため、薬液ポンプ１が傾いても、ポンプ室２内の残留空気Ａが吐出口５に集まり易く、該吐出口５から速やかに排出され易い。また、本発明の土壌消毒機は、地中に吐出するための薬液Ｂを薬液ポンプ１により送るように構成されている。【選択図】      図２
2007252262.tif 000002
【特許請求の範囲】
【請求項１】
薬液を吸入口からポンプ室内へ吸入するとともに、ポンプ室内の薬液を吐出口から吐出するように構成された薬液ポンプであって、
前記吐出口は前記吸入口よりも相対的に高い位置に配設された薬液用ポンプ。
【請求項２】
前記ポンプ室における低位置に開口するように配設された薬液排出口と、該薬液排出口を開閉する開閉弁とを備えた請求項１記載の薬液ポンプ。
【請求項３】
地中に吐出するための薬液を、請求項１又は２記載の薬液ポンプにより送るように構成された土壌消毒機。
【発明の詳細な説明】
【技術分野】
【０００１】
本発明は、薬液を送るための薬液ポンプ及び薬液を地中に対して吐出し土壌を消毒する土壌消毒機に関するものである。
【背景技術】
【０００２】
従来技術として、特許文献１に記載された土壌消毒機を例示する。この土壌消毒機は、圃場内を走行しながら土中に薬液を注入するためのものであり、トラクター等の自走自在な駆動車に対し、転動輪に走行自在に支持して成る機体を牽引自在に連結せしめている。その機体には、前記転動輪に連動して作動するように構成された薬液ポンプと、薬液を収納する薬液タンクとを搭載している。薬液ポンプの吸入口側には薬液タンクに通じる吸引パイプを配し、吐出口側には機体底部の注入刀先端の吐出口に通じる吐出パイプを配してなっている。
【０００３】
従来の薬液ポンプとしては、図４に示すダイヤフラムポンプからなるもの例示する。この薬液ポンプ５０は、吸入口５２及び吐出口５４にそれぞれ吸入口逆止弁５３及び吐出口逆止弁５５を有するポンプ室５１内を加圧したり減圧したりするようにプッシュロッド５６を介してダイヤフラム５７を往復運動させることにより吸入口５２から吐出口５４へ向けて薬液Ｂの流れを生じさせるように構成されている。
【０００４】
【特許文献１】特開２００１−１７０５８号公報
【発明の開示】
【発明が解決しようとする課題】
【０００５】
ところが、従来の薬液ポンプ５０は、吸入口５２と吐出口５４が略同一高さに配設されているため、圃場表面の状態等により土壌消毒機の機体の姿勢が変動し、図４に示すように、吸入口側が高くなるように薬液ポンプ５０が傾くと、ポンプ室５１内の残留空気Ａが吸入口側に集まることにより吐出口５４から排出されず、ポンプ室５１内に残留した状態となってしまう。この状態では、薬液Ｂを吐出口５４から吐出させるために、ダイヤフラム５７でポンプ室５１内を加圧しても、吸入口側の残留空気Ａが縮んで、吐出口５４から薬液Ｂが安定して吐出されないという課題がある。
【課題を解決するための手段】
【０００６】
上記課題を解決するために、本発明の薬液ポンプは、
薬液を吸入口からポンプ室内へ吸入するとともに、ポンプ室内の薬液を吐出口から吐出するように構成された薬液ポンプであって、
前記吐出口は前記吸入口よりも相対的に高い位置に配設されている。
【０００７】
前記吐出口は、前記ポンプ室内における最も高い位置に開口するように配設されることが好ましい。
【０００８】
この構成によれば、前記吐出口を前記吸入口よりも相対的に高い位置に配設したので、前記薬液ポンプが傾いても、前記ポンプ室内の残留空気が前記吐出口に集まり易く、該吐出口から速やかに排出され易い。このように、残留空気がポンプ室内に溜まることを防止することができるので、安定した吐出量が得られる。
【０００９】
前記薬液ポンプとしては、
前記ポンプ室における低位置に開口するように配設された薬液排出口と、該薬液排出口を開閉する開閉弁とを備えた態様を例示する。
【００１０】
この構成によれば、前記薬液ポンプの使用後に、前記開閉弁を開けて前記ポンプ室内に残留する薬液を前記薬液排出口から簡単に排出させることができる。
【００１１】
また、本発明の土壌消毒機は、地中に噴出するための薬液を、前記薬液ポンプにより送るように構成されている。
【００１２】
この構成によれば、前記薬液ポンプにより、薬液を安定的に地中に吐出することができる。
【発明の効果】
【００１３】
本発明に係る薬液ポンプ及び土壌消毒機によれば、薬液を安定的に吐出することができるという優れた効果を奏する。
【発明を実施するための最良の形態】
【００１４】
図１〜図２は本発明を具体化した第一実施形態の薬液ポンプ１及び該薬液ポンプ１を備えた土壌消毒機１０を示している。この土壌消毒機１０は、いわゆる自走タイプのものであり、前後に伸びる機体フレーム１１の前部に走行用の原動機１２を搭載して前輪１３を駆動回転している。機体フレーム１１の後端には、転動輪１４が回転自在に取り付けられている。機体フレーム１１後端より延出するブラケット１１ａには薬液吐出手段である薬液ポンプ１が固定されている。転動輪１４の回転軸１４ａには、カム１４ｂが取り付けられており、回転軸１４ａの回転に伴いカム１４ｂはカムフォロアー１６ａを先端に取り付けたプッシュロッド１６を上下に往復運動させるように構成されている。本例の薬液ポンプ１は、プッシュロッド１６により駆動されるダイヤフラムポンプとなっており、薬液タンク１８内の薬液Ｂを吸入するとともに、注入刀１９の薬液吐出部１９ａより地中に吐出させるようになっている。なお、図１において、矢印Ｆは機体前側を指し示している。
【００１５】
薬液ポンプ１は、吸入口３及び吐出口５にそれぞれ吸入口逆止弁４及び吐出口逆止弁６を有するポンプ室２と、該ポンプ室２内を加圧したり減圧したりするように往復運動可能に設けられた可動体としてのダイヤフラム７を備えている。本例では、吸入口３及び吐出口５がポンプ室２における天井側に設けられ、ダイヤフラム７がポンプ室２における底側に設けられている。ポンプ室２における天井側の内面の一部に上方への窪み２ａが設けられ、該窪み２ａにポンプ室２内の残留空気Ａが集まるようにしている。この窪み２ａの略頂点に吐出口５が配設され、吸入口３は該窪み２ａの外側に配設されている。このように、吐出口５は吸入口３よりも相対的に高い位置に配設されている。特に、本例では、吐出口５は、ポンプ室２内における最も高い位置（残留空気Ａが最も集まる位置）に開口するように配設されている。吸入口逆止弁４は、ポンプ室内方向への薬液Ｂの流れを許し、その逆方向の流れを阻止するように構成されている。吐出口逆止弁６は、ポンプ室外方向への薬液Ｂの流れを許し、その逆方向の流れを阻止するように構成されている。ダイヤフラム７は、上下に往復運動するプッシュロッド１６により、駆動されるように構成されている。そして、ダイヤフラム７を往復運動させてポンプ室２内を加圧したり減圧したりすることにより吸入口３から吐出口５へ向けて薬液Ｂの流れを生じさせるように構成されている。
【００１６】
以上のように構成された本発明によれば、吐出口５を吸入口３よりも相対的に高い位置に配設したので、薬液ポンプ１が傾いても、ポンプ室２内の残留空気Ａが吐出口５に集まり易く、該吐出口５から速やかに排出され易い。このように、残留空気Ａがポンプ室２内に溜まることを防止することができるので、安定した吐出量が得られる。
【００１７】
また、吐出口５は、ポンプ室２内における最も高い位置に開口するように配設されているので、ポンプ室２内の残留空気Ａを吐出口５から確実に排出させることができる。
【００１８】
次に、図３は本発明を具体化した第二実施形態を示している。この薬液ポンプ３１及び該薬液ポンプ３１を備えた土壌消毒機は、以下に示す点において、主に第一実施形態と相違している。従って、同実施形態と共通する部分については、同一符号を付することにより重複説明を省く。
【００１９】
本例の薬液ポンプ３１は、ポンプ室の左右方向における一方側に吸入口３及び吐出口５が設けられ、同他方側にダイヤフラム７が設けられている。吐出口５は、前記一方側における最も高い位置（残留空気Ａが最も集まる位置）に配設され、吸入口３は、該吐出口５よりも相対的に低い位置に配設されている。また、ダイヤフラム７は左右に往復運動可能に設けられており、左右に往復運動するプッシュロッド１６により駆動されるように構成されている。
【００２０】
また、本例の薬液ポンプ３１は、前記一方側における低位置に開口するように配設された薬液排出口３２と、該薬液排出口３２を開閉する開閉弁３３とを備えている。本例では、薬液排出口３２の配設位置は、ポンプ室２内における可能な限り低い位置となっている。この構成によれば、薬液ポンプ１の使用後に、開閉弁３３を開けてポンプ室２内に残留する薬液Ｂを薬液排出口３２から簡単に排出させることができる。この種の薬液Ｂは刺激臭の強い劇薬であり、該薬液Ｂがポンプ室２内に残留したままになっていると、特にダイヤフラム７を損傷するおそれがあるが、これを防止することができる。
【００２１】
本実施形態によれば、第一実施形態と同様の効果に加え、上記本実施形態特有の効果を得ることができる。
【００２２】
なお、本発明は前記実施形態に限定されるものではなく、例えば以下のように、発明の趣旨から逸脱しない範囲で適宜変更して具体化することもできる。
（１）自走のための機構（走行用の原動機１２等）に代えて、トラクター等の自走可能な駆動車に対して連結する連結具を設け、該駆動車によって牽引されるように、本発明の土壌消毒機１０を構成すること。
（２）薬液ポンプ１，３１として、他の構造のポンプを採用すること。特に限定されないが、ピストンポンプや、プランジャポンプを採用することを例示する。
【図面の簡単な説明】
【００２３】
【図１】本発明を具体化した第一実施形態に係る薬液ポンプ及びそれを備えた土壌消毒機を示す側面図である。
【図２】同薬液ポンプの側断面図である。
【図３】本発明を具体化した第二実施形態に係る薬液ポンプの側断面図である。
【図４】従来の薬液ポンプの側断面図である。
【符号の説明】
【００２４】
１    薬液ポンプ
２    ポンプ室
２ａ  窪み
３    吸入口
４    吸入口逆止弁
５    吐出口
６    吐出口逆止弁
７    ダイヤフラム
１０    土壌消毒機
１４    転動輪
１４ａ  回転軸
１４ｂ  カム
１６    プッシュロッド
１６ａ  カムフォロアー
１８    薬液タンク
１９    注入刀
１９ａ  薬液吐出部
３１    薬液ポンプ
３２    薬液排出口
３３    開閉弁
Ａ    残留空気
Ｂ    薬液
【図１】
2007252262.tif 000003
【図２】
2007252262.tif 000004
【図３】
2007252262.tif 000005
【図４】
2007252262.tif 000006